(57)【要約】【課題】サイドパッキング部材を再利用可能に分解でき、またフロントケースとリヤケースを破損させることなく分解できる。【解決手段】フロントケース１３とリヤケース１４の重ね合わせ部にサイドパッキング部材３０が取り付けられる。サイドパッキング部材３０は、例えば合成樹脂によって薄肉でかつ細長い帯状に形成され、第１の係合部３１、３２、第２の係合部３３が設けられる。第１の係合部３１及び３２は、フロントケース１３とリヤケース１４との双方に設けられた係合孔１９及び２０に係合する。第２の係合部３３は、サイドパッキング部材３０の長さ方向の中央部に雄ねじ１５を挿通するための挿通孔３４を有する係合片３５をなしている。【選択図】  図５
2004357231.tif 000002
【特許請求の範囲】
【請求項１】
フロントケースとリヤケースとを重ね合わせて構成されるとともに、これらフロントケースとリヤケースとが締結部材により固定され、該フロントケースとリヤケースとの重ね合わせ部にサイドパッキング部材が設けられた携帯端末装置において、
前記フロントケースとリヤケースとのいずれか一方又は双方に係合受部が設けられ、前記サイドパッキング部材に前記係合受部に係合する第１の係合部が設けられるとともに、前記締結部材に係合する第２の係合部が設けられていることを特徴とする携帯端末装置。
【請求項２】
請求項１記載の携帯端末装置において、
前記フロントケースとリヤケースとのいずれか一方には締結孔が形成され、前記第２の係合部には挿通孔を有する係合片が形成され、前記締結孔と前記挿通孔とに前記締結部材が挿通されていることを特徴とする携帯端末装置。
【請求項３】
請求項２記載の携帯端末装置において、
前記フロントケースとリヤケースとに、前記係合片を挟持する保持壁部が設けられていることを特徴とする携帯端末装置。
【発明の詳細な説明】
【０００１】
【発明の属する技術分野】
この発明は、携帯端末装置に係り、特に折り畳み自在な携帯電話機等に使用して好適な携帯端末装置に関する。
【０００２】
【従来の技術】
近年、携帯電話機等の携帯端末装置は、機器筐体の構成として各種のものが提案されているが、特に、二つのの筐体を互いに折り畳み自在に構成したものが広く普及している。このような携帯端末装置は、通常各筐体がフロントケースとリヤケースとを重ね合わせた構成とされ、各ケースの重ね合わせ部にサイドパッキング部材が設けられた構成となっている。
ところで、この種の携帯端末装置においては、機器の保守や修理が必要となる場合がある。そのような場合には、保守、修理等のために、フロントケースとリヤケースとを分解することになるが、分解に際しては、フロントケースとリヤケースとの重ね合わせ部に設けられたサイドパッキング部材を取り外す必要がある。このサイドパッキング部材は、元々は装飾機能を果たすため、または利用者が携帯端末装置を滑り落とすことがないように滑り止め機能を果たすためのものであり、フロントケースとリヤケース間に両面テープ若しくは溶着等によって固定されている。
この種に関連する装置として、種々のものが提案されている（例えば、特許文献１参照。）。
【０００３】
【特許文献１】
実開平５−３９０５５号公報
【０００４】
【発明が解決しようとする課題】
ところが、上記従来の携帯端末装置においては、フロントケースとリヤケースとの重ね合わせ部にサイドパッキング部材が固定されているので、分解に際し、このサイドパッキング部材を取り外す必要があり、この部材が前述したように両面テープや溶着等で固定されているので、その取り外し手間がかかるとともに、取り外しがなされてもフロントケース、リヤケース、サイドパッキング部材に接着剤等が固化した状態で残り、再組み立てが困難になるという問題があった。特に、サイドパッキング部材が溶着されていると、サイドパッキング部材の取り外し作業に多くの手間がかかるだけでなく、フロントケース、リヤケース、サイドパッキング部材を再利用可能な状態に切り離すことが困難であるという問題があった。
また、フロントケースとリヤケース間には、嵌合構造が採用されているので、分解時には嵌合爪が取り外し難く、双方のケースが破損してしまうという問題もあった。
【０００５】
この発明は、このような事情を考慮してなされたもので、その目的は、サイドパッキング部材を再利用可能に分解することができ、またフロントケースとリヤケースを破損させることなく分解することもでき、以て保守及び修理に対して良好に配慮された携帯端末装置を提供することにある。
【０００６】
【課題を解決するための手段】
上記目的を達成するために、この発明は以下の手段を提案している。
請求項１に係る発明は、一方の筐体と他方の筐体とがヒンジ部を介して折り畳み自在に構成され、前記筐体のいずれか一方又は双方がフロントケースとリヤケースとを重ね合わせて構成されるとともに、これらフロントケースとリヤケースとが締結部材により固定され、該フロントケースとリヤケースとの重ね合わせ部にサイドパッキング部材が設けられた携帯端末装置において、前記フロントケースとリヤケースとのいずれか一方又は双方に係合受部が設けられ、前記サイドパッキング部材に前記係合受部に係合する第１の係合部が設けられるとともに、前記締結部材に係合する第２の係合部が設けられていることを特徴とする。
【０００７】
この発明に係る携帯端末装置によれば、サイドパッキング部材の第１の係合部が係合孔又は切欠に係合すると共に、フロントケースとリヤケースとを固定する締結部材にサイドパッキング部材の第２の係合部が係合しているので、締結部材がフロントケースとリヤケースとから取り外されて第２の係合部の係合が解除され、また第１の係合部と係合孔との係合が解除されることで、フロントケースとリヤケースとからサイドパッキング部材を再利用可能な状態で取り外すことができ、サイドパッキング部材の取り外しを速やかにかつ良好に行うことができる。
【０００８】
請求項２に係る発明は、請求項１記載の携帯端末装置において、前記フロントケースとリヤケースとのいずれか一方には締結孔が形成され、前記第２の係合部には挿通孔を有する係合片が形成され、前記締結孔と前記挿通孔とに前記締結部材が挿通されていることを特徴とする。
【０００９】
この発明に係る携帯端末装置によれば、締結部材が締結孔と挿通孔に挿通されてフロントケースとリヤケースとが重ね合わせて固定されるので、フロントケースとリヤケースとを簡単にかつ良好に分解することができるばかりでなく、両者の組立も良好に行うことができる。
また、サイドパッキング部材の挿通孔に挿通することで、締結部材とサイドパッキング部材の第２の係合部とを確実に係合することができ、その上、フロントケースとリヤケースとサイドパッキング部材との三者の組立及び分解を行うことができる。
【００１０】
請求項３に係る発明は、請求項２記載の携帯端末装置において、前記フロントケースとリヤケースとに、前記係合片を挟持する保持壁部が設けられていることを特徴とする。
この発明に係る携帯端末装置によれば、締結部材によりロントケースとリヤケースとを固定したとき、フロントケースの保持壁部とリヤケースの保持壁部間にサイドパッキング部材の係合片を挟持するので、締結部材の固定を解除することで、フロントケースとリヤケースとサイドパッキング部材との三者を確実に取り外すことができ、良好な分解を的確に行うことができるばかりでなく、組立も容易に行うことができる。
【００１１】
【発明の実施の形態】
以下、図面を参照し、この発明の実施の形態について説明する。図１から図７はこの発明の一実施の形態に係る携帯端末装置を適用した携帯電話機を示す図であって、図１は携帯電話機を開いた状態を示す全体斜視図、図２は図１の背面から見た斜視図、図３は携帯電話機における第１の筐体のフロントケースとリヤケースとの重ね合わせた状態を示す側面図、図４は第１の筐体に設けられるサイドパッキング部材を示す図、図５は同じく第１筐体のフロントケースとリヤケースとサイドパッキング部材の分解斜視図、図６はフロントケースとリヤケースとの重ね合わせ部にサイドパッキング部材を組み付けるときの説明図、図７は第１の筐体のフロンケースとリヤケースとの重ね合わせ部にサイドパッキング部材を挿入した状態を示す説明図である。
図１及び図２において、符号１は携帯端末装置、２は第１の筐体、３は第２の筐体である。
図１に示すように、第１の筐体２には液晶からなる表示部４が設けられる他、受話機能を確保するためのスピーカ部５が設けられ、第２の筐体３には複数のテンキー６、モード切替えボタン７、電源ボタン等からなる操作釦が設けられると共に、送話機能を確保するためのマイクロフォン部８が設けられている。
【００１２】
この第１の筐体２と第２の筐体３とは、図２に示す矢印のように、ヒンジ部９を中心に回動することで折り畳み自在に構成されている。ヒンジ部９は、図１に示すように、第１の筐体２の一端部にそれぞれ軸方向の長さの異なる筒部１０が複数（本例では三個）設けられる一方、第２の筐体３の一端部にもそれら筒部１０と同径であってかつ該筒部１０間に嵌合し得る筒部１１が複数（本例では二個）設けられ、これら筒部１０と筒部１１が互いに同一軸線上で嵌合されるとともに、これらに図示しない連結ピンが挿入され、該連結ピンを中心として第１の筐体２と第２の筐体３とが相対的に回動されることで、折り畳み自在な構成とされている。
【００１３】
第１の筐体２は、図１から図３に示すように、フロントケース１３と、該フロントケース１３と重ね合わせられるリヤケース１４とを備え、フロントケース１３とリヤケース１４とが図３及び図６に示すように重ね合わせられたとき、図７に示すように、締結部材としての雄ねじ１５によって緊締されることで固定される。
【００１４】
そのため、図５に示すように、フロントケース１３には、筒部１１寄りの一端部の両側に雄ねじ１５を挿通する締結孔１６がそれぞれ形成され、リヤケース１４には前記締結孔１６と対応する位置に設けられた保持壁部１７に雌ねじ孔１８が形成され、雄ねじ１５の先端部が締結孔１６から保持壁部１７の雌ねじ孔１８に挿入しかつ緊締されるようになっている。
【００１５】
また、フロントケース１３の筒部１１と反対の先端側の両側にも、雄ねじ１５を挿通する締結孔１６ａがそれぞれ形成され、リヤケース１４の先端側にも締結孔１６ａと対応する位置に設けられた保持壁部１７ａが形成され、雄ねじ１５の先端部が締結孔１６ａから保持壁部１７ａの雌ねじ孔１８に挿入しかつ緊締されるようになっている。
【００１６】
雌ねじ孔１８は、保持壁部１７、１７ａに上方から垂直方向に刻設されている。保持壁部１７、１７ａはリヤケース１４内に立設されて円柱状をなしており、リヤケース１４とフロントケース１３とが重ね合わせられたとき、フロントケース１３をリヤケース１４に対して安定した状態で支持すると共に、両ケース１３、１４間の内部空間を良好に保てるようになっている。
【００１７】
なお、図示していないが、フロントケース１３とリヤケース１４間の内部空間には表示部４としての構成部品、電話機の通信機能に必要なスピーカ部５が取り付けられる他、図２に示すようにカメラ３７、ミラー３８等の構成部品等も取り付けられている。
【００１８】
また、図１及び図２に示すように、フロントケース１３とリヤケース１４の重ね合わせ部にはサイドパッキング部材３０が取り付けられている。
サイドパッキング部材３０は、装飾機能をなす他、利用者が携帯電話機１を携帯するとき、第１筐体２を持ちやすいように滑り止め機能をなすものであって、例えば合成樹脂によって薄肉でかつ細長い帯状に形成されている。
【００１９】
このサイドパッキング部材３０には、図４（ａ）及び（ｂ）に示すように、第１の係合部３１、３２が設けられると共に、第２の係合部３３が設けられている。第１の係合部３１及び３２は、フロントケース１３とリヤケース１４との双方に設けられた係合受部を構成する係合孔１９及び２０（図３参照）に係合するものである。即ち、前記係合部３１は、サイドパッキング部材３０の長さ方向の先端部においてそのサイドパッキング部材３０の幅より小さい幅で前方に向かってＬ字状に突設されており、前記係合部３２は、サイドパッキング部材３０の長さ方向の中央部において幅方向の中間部に前記係合部３１と同様にＬ字状をなして突設されている。
【００２０】
上記係合孔１９、２０のうち、係合孔１９は、図３、図５及び図６に示すように、フロントケース１３及びリヤケース１４の側面の先端側に両者に跨って形成された孔をなしている。係合孔２０は、フロントケース１３の側面に設けられたフロント壁２１と、リヤケース１４の側面にフロント壁２１に対向して設けられたリヤ壁２２とに跨って形成された四角の形状をなしている。フロント壁２１及びリヤ壁２２は、フロントケース１３及びリヤケース１４の互いに重ね合わせる位置にそれぞれ内方に若干凹んで形成されている。これによって、フロント壁２１とリヤ壁２２とによって画成された若干凹む位置にサイドパッキング部材３０を収納できる空間をなしている。
【００２１】
再び図４に戻って説明すれば、第２の係合部３３は、サイドパッキング部材３０の長さ方向の一端部に薄肉形状で突設されており、その中央部に雄ねじ１５を挿通するための挿通孔３４を有する係合片３５をなしている。この第２の係合部３３は、フロントケース１３とリヤケース１４とが図３及び図６に示すように重ね合わせられた状態にあるとき、フロントケース１３のフロント壁２１に設けられた差し込み孔２３内に挿入されると、図７に示すようにフロントケース１３に設けられた保持壁部２４とリヤケース１４に設けられた保持壁部１７とで挟持されるようになっている。
なお、フロントケース１３の筒部１１と反対の先端側に設けられた保持壁部は、図５及び図７では図示されていないが、フロントケース１３とリヤケース１４とが重ね合わせられたとき、リヤケース１４に設けられた保持壁部１７ａ（図５参照）と当接するようになっている。
【００２２】
一方、第２の筐体３も図１及び図２に示すように、フロントケース２５とリヤケース２６との重ね合わせ部にサイドパッキング部材３６が設けられている。このフロントケース２５及びリヤケース２６並びにサイドパッキング部材３６は、基本的には第１の筐体２と同様の構成であるので、ここではその詳細な説明を省略する。
なお、図２において、符号３９は通信用のアンテナである。
【００２３】
この実施形態の携帯電話機１は、上記のように構成されているので、組立時には、まず、第１の筐体２及び第２の筐体３がそれぞれ組立られると、それら第１の筐体２と第２の筐体３とがヒンジ部９を介して互いに折り畳み自在に構成されることで携帯電話機１が組み立てられることなる。
【００２４】
その際、例えば第１の筐体２の組立時においては、予めフロントケース１３とリヤケース１４内に所定の構成部品が装着されると、フロントケース１３とリヤケース１４とが重ね合わせられる。
これにより、フロントケース１３とリヤケース１４との重ね合わせ部においては、図３及び図６に示すように、フロントケース１３のフロント壁２１に係合孔１９が形成されると共に、それらのフロント壁２１とリヤ壁２２とによって係合孔２０が形成されることとなる。
【００２５】
次いで、サイドパッキング部材３０を用意し、図６に示す矢印ａのようにサイドパッキング部材３０の第１の係合部３１が係合孔１９に差し込まれると共に、矢印ｂのように係合部３２が係合孔２０に差し込まれ、サイドパッキング部材全体が矢印Ａのように第１の筐体２の先端側にずらされることで、係合孔１９及び２０に第１の係合部３１及び３２をそれぞれ係合させる。この場合、サイドパッキング部材３０は、薄肉でかつ帯状の合成樹脂であって容易に撓ますことができるので、係合孔１９、２０に対する第１の係合部３１、３２の係合を容易に行うことができる。
【００２６】
このようにしてサイドパッキング部材３０の第１の係合部３１、３２がそれぞれ係合された後、第２の係合部３３の係合片３５が、図６に示す矢印ｃのようにフロント壁２１に設けられている差し込み孔２３から内部に入れられると、フロントケース１３とリヤケース１４間の筒部１１寄りの内部において、図７に示すように、該係合片３５が、フロントケース１３の保持壁部２４とリヤケース１４の保持壁部１７間に挿入され、両者２４、１７によって挟持されることとなる。
【００２７】
その後、雄ねじ１５の先端部が図７に示す矢印のようにフロントケース１３の筒部１１寄りの締結孔１６に挿入され、該先端部が保持壁部２４から係合片３３を介してリヤケース１４内の保持壁部１７の雌ねじ孔１８に挿入されて緊締され、またフロントケース１３の筒部１１と反対の先端側の締結孔１６ａにも雄ねじ１５が同様に挿入され、かつリヤケース１４内の保持壁部１７ａの雌ねじ孔１８（図５参照）に緊締されることにより、フロントケース１３とリヤケース１４とが重ね合わせられた状態で固定され、これによって第１の筐体２が構成されることとなる。
【００２８】
このようにして第１の筐体２が組立てられ、またこれと略同様にして第２の筐体３が組立てられると、第１の筐体２と第２の筐体３とがヒンジ部９を介して互いに折り畳み可能に構成されることで、携帯電話機１の組立が完成することとなる。
【００２９】
従って、上記携帯電話機１が保守や修理のために分解、例えば、第１の筐体２を分解しようとすると、図示していないが、まず、第１の筐体２を第２の筐体３から分離した後、第１の筐体２におけるフロントケース１３とリヤケース１４を重ねた状態で固定している雄ねじ１５を緩めて図７の矢印と反対方向に取り外し、次いでサイドパッキング部材３０をフロントケース１３とリヤケース１４とから取り外す。
【００３０】
その場合、サイドパッキング部材３０の取り外しに際しては、上述した手順と逆の手順を行うことで、つまり、雄ねじ１５が取り外された後、サイドパッキング部材３０の第２の係合部３３がフロントケース１３の保持壁部２４とリヤケース１４の保持壁部１７間から抜き取られ、次いでサイドパッキング部材３０の第１の係合部３１及び３２が係合孔１９及び２０との係合を解除する方向にずらし、該係合を解除させてサイドパッキング部材３０を第１の筐体２から取り外すことができる。このとき、サイドパッキング部材３０が薄肉でかつ帯状の合成樹脂であって撓ますことができるので、サイドパッキング部材３０の取り外しを容易に行うことができる。これにより、フロントケース１３とリヤケース１４とに分解することができる。
【００３１】
その結果、フロントケース１３とリヤケース１４との重ね合わせ部に対し、雄ねじ１５の緊締と係合構造を採用することでサイドパッキング部材３０が取り付けられているので、従来のように溶着や両面テープなどでサイドパッキング部材を設けることと異なり、サイドパッキング部材３０を確実に再利用可能な状態で取り外すことができる。その上、フロントケース１３やリヤケース１４などにキズ等を何等発生させることなくサイドパッキング部材３０を取り外すことができる。これにより、保守及び修理を速やかに行うことができる。
【００３２】
また、雄ねじ１５が締結孔１６から雌ねじ孔１８に緊締されることでフロントケース１３とリヤケース１４とが重ね合わせて固定されるので、フロントケース１３とリヤケース１４とを簡単にかつ良好に分解することができるばかりでなく、両者の組立も良好に行うことができる。そして、雄ねじ１５がサイドパッキング部材３０の挿通孔３４に挿通することで、雄ねじ１５とサイドパッキング部材３０の第２の係合部３３とを確実に係合することができ、その上、フロントケース１３とリヤケース１４とサイドパッキング部材３０との三者の組立及び分解を行うことができる。
【００３３】
更に、雄ねじ１５がフロントケース１３とリヤケース１４とを緊締したとき、フロントケース１３の保持壁部２４とリヤケース１４の保持壁部１７間にサイドパッキング部材３０の係合片３５を挟持するので、雄ねじ１５の緊締を解除することで、フロントケース１３とリヤケース１４からサイドパッキング部材３０を取り外すことができ、従って、フロントケース１３とリヤケース１４とサイドパッキング部材３０との三者を確実に取り外すことができるので、良好な分解を的確に行うことができるばかりでなく、組立も容易に行うことができる。
【００３４】
なお、図示実施の形態において、サイドパッキング部材３０に設けられた第１の係合部として、二個の係合部３１、３２が設けられる一方、フロントケース１３とリヤケース１４との重ね合わせ部にそれに対応して二個の係合孔１９、２０が設けられた例を示したが、いずれか一方だけ用いても同様の作用効果を得ることができる。また、係合孔１９、２０がフロントケース１３とリヤケース１４とによって画成された例を示したが、いずれか一方に設けられているだけでもよい。
【００３５】
更に、第１の筐体２のみならず、第２の筐体３も同様、フロントケースとリヤケースとを重ね合わせて構成され、かつサイドパッキング部材が設けられているので、この発明の作用効果をいっそう達成することができ、保守及び修理に対する信頼性をより高めることができる。
【００３６】
【発明の効果】
以上説明したように、請求項１に係る発明によれば、サイドパッキング部材の第１の係合部が係合孔に係合すると共に、フロントケースとリヤケースとを固定する締結部材にサイドパッキング部材の第２の係合部が係合するように構成したので、フロントケースとリヤケースとからサイドパッキング部材を再利用可能な状態で取り外すことができ、サイドパッキング部材の取り外しを速やかにかつ良好に行うことができる結果、保守及び修理を的確に行うことができる効果が得られる。
【００３７】
請求項２に係る発明によれば、締結部材が締結孔と挿通孔とに挿通されてフロントケースとリヤケースとが重ね合わせて固定されることで、フロントケースとリヤケースとを簡単にかつ良好に分解できるばかりでなく、両者の組立も良好に行うことができ、また締結部材とサイドパッキング部材の第２の係合部とを確実に係合することができ、その上、フロントケースとリヤケースとサイドパッキング部材との三者の組立及び分解を行うことができる効果が得られる。
【００３８】
請求項３に係る発明によれば、締結部材によりフロントケースとリヤケースとを固定したとき、フロントケースの保持壁部とリヤケースの保持壁部間にサイドパッキング部材の係合片を挟持するので、締結部材の固定を解除することでフロントケースとリヤケースとサイドパッキング部材との三者を確実に取り外すことができ、良好な分解を的確に行うことができるばかりでなく、組立も容易に行うことができる効果が得られる。
【図面の簡単な説明】
【図１】この発明の一実施の形態に係る携帯端末装置を適用した携帯電話機を示す図であって、携帯電話機を開いた状態を示す全体斜視図である。
【図２】図１の背面から見た斜視図である。
【図３】携帯電話機における第１の筐体のフロントケースとリヤケースとの重ね合わせた状態を示す側面図である。
【図４】第１の筐体に設けられるサイドパッキング部材を示す図であって、（ａ）は側面図及び（ｂ）は正面図である。
【図５】同じく第１筐体のフロントケースとリヤケースとサイドパッキング部材の分解斜視図である。
【図６】フロントケースとリヤケースとの重ね合わせ部にサイドパッキング部材を組み付けるときの説明図である。
【図７】第１の筐体のフロンケースとリヤケースとの重ね合わせ部にサイドパッキング部材を挿入した状態を示す説明図である。
【符号の説明】
１    携帯電話機（携帯端末装置）
２    第１の筐体
３    第２の筐体
９    ヒンジ部
１３、２５    フロントケース
１４、２６    リヤケース
１５    雄ねじ（締結部材）
１６、１６ａ    締結孔
１７    保持壁部（リヤケース側）
１８    雌ねじ孔
１９、２０    係合孔（係合受部）
２４    保持壁部（フロントケース側）
３０、３６    サイドパッキング部材
３１、３２    第１の係合部
３３    第２の係合部
３４    挿通孔
３５    係合片
【図１】
2004357231.tif 000003
【図２】
2004357231.tif 000004
【図３】
2004357231.tif 000005
【図４】
2004357231.tif 000006
【図５】
2004357231.tif 000007
【図６】
2004357231.tif 000008
【図７】
2004357231.tif 000009